(57)【要約】【課題】貨幣の盗難が発生したことを遊技場の管理者が適切に特定できるようにする。【解決手段】貸出機３が電源オフ状態に切り替えられた後に電源オン状態に切り替えられると、管理装置７において、貸出機３の電源オフ状態の前後で紙幣の収容状態が変化しているか否かを判定し、電源オフ状態の前後で紙幣の収容状態が変化していると判定すると、異常報知を実行する。貸出機３への電源供給を故意に遮断して紙幣を盗難するという不正行為が発生した場合であっても、紙幣の盗難が発生したことを迅速に特定できる。【選択図】図１
2014018346.tif 000002
【特許請求の範囲】
【請求項１】
遊技者が貨幣投入部に貨幣を投入したことに基づいて遊技機にて使用可能な遊技価値を付与する遊技価値付与手段と、
前記貨幣投入部に遊技者が投入した貨幣を収容する貨幣収容手段と、
前記貨幣収容手段が収容している貨幣を検知する貨幣検知手段と、
前記貨幣検知手段に電力を供給する電力供給手段と、
前記電力供給手段から前記貨幣検知手段への電力供給が遮断された後に電力供給が開始された場合に、その電力供給の遮断の前後における前記貨幣検知手段の検知結果を比較する検知結果比較手段と、
前記検知結果比較手段が検知結果を比較した結果として前記電力供給の遮断の前後における前記貨幣検知手段の検知結果が一致しなかった場合に、異常報知を実行する異常報知実行手段と、を備えたことを特徴とする遊技場管理システム。
【請求項２】
前記貨幣検知手段は、前記貨幣収容手段が貨幣を収容している状態か否かを検知するものであり、
前記異常報知実行手段は、前記電力供給手段から前記貨幣検知手段への電力供給が遮断された場合に前記貨幣収容手段が貨幣を収容している状態であり、その後、前記電力供給手段から前記貨幣検知手段への電力供給が開始された場合に前記貨幣収容手段が貨幣を収容していない状態となっていた場合に、前記異常報知を実行することを特徴とする請求項１に記載した遊技場管理システム。
【請求項３】
前記貨幣収容手段が収容している貨幣を取り出すために遊技場の管理者が操作する操作手段と、
遊技場の管理者が前記操作手段を操作した場合に前記貨幣収容手段に状態切替信号を出力する信号出力手段と、を備え、
前記貨幣収容手段は、前記状態切替信号を入力した場合に、収容している貨幣を取出可能な取出可能状態に切り替わることを特徴とする請求項１又は２に記載した遊技場管理システム。
【請求項４】
前記貨幣収容手段は、遊技者が遊技を行う状態である営業モードと、遊技場の管理者がメンテナンスを行う状態である非営業モードとに切替可能であり、
前記異常報知手段は、前記貨幣収容手段が前記非営業モードにおいて前記貨幣検知手段が貨幣の収容を検知している場合に、前記貨幣収容手段が貨幣を収容していることを遊技場の管理者が特定可能な特別報知を実行することを特徴とする請求項１乃至３の何れか１に記載した遊技場管理システム。
【請求項５】
前記貨幣収容手段は、遊技者が遊技を行う状態である営業モードと、遊技場の管理者がメンテナンスを行う状態である非営業モードとに切替可能であり、
前記異常報知手段は、前記貨幣収容手段が前記営業モードにおいて前記電力供給手段から前記貨幣検知手段への電力供給が遮断された場合に、前記電力供給の遮断の前後における前記貨幣検知手段の検知結果に関わらず前記異常報知を実行する一方、前記貨幣収容手段が前記非営業モードにおいて前記電力供給手段から前記貨幣検知手段への電力供給が遮断された場合に、前記電力供給の遮断の前後における前記貨幣検知手段の検知結果が一致しなかった場合に異常報知を実行することを特徴とする請求項１乃至４の何れか１に記載した遊技場管理システム。
【請求項６】
前記異常報知手段は、前記電力供給手段からの電力供給を受けることなく動作可能であり、前記貨幣収容手段が前記営業モードにおいて前記電力供給手段から前記貨幣検知手段への電力供給が遮断された場合に、前記電力供給手段から前記貨幣検知手段への電力供給の開始を待つことなく前記異常報知を実行することを特徴とする請求項５に記載した遊技場管理システム。
【請求項７】
遊技者が貨幣投入部に貨幣を投入したことに基づいて遊技機にて使用可能な遊技価値を付与する遊技価値付与手段と、
前記貨幣投入部に遊技者が投入した貨幣を収容する貨幣収容手段と、
前記貨幣収容手段が収容している貨幣を検知する貨幣検知手段と、
前記貨幣検知手段と通信可能であり、前記貨幣検知手段の検知結果を管理する管理手段と、
前記貨幣検知手段と前記管理手段とが通信不能状態となった後に通信可能状態となった場合に、その通信不能状態の前後における前記貨幣検知手段の検知結果を比較する検知結果比較手段と、
前記貨幣検知手段と前記管理手段とが通信不能状態となった場合に、前記貨幣検知手段と前記管理手段とが通信可能な状態となる前に通信異常報知を実行すると共に、前記貨幣検知手段と前記管理手段とが通信不能状態となった後に通信可能状態となった場合に、前記検知結果比較手段が検知結果を比較した結果として前記通信不能状態の前後における前記貨幣検知手段の検知結果が一致しなかった場合に異常報知を実行する異常報知実行手段と、を備えたことを特徴とする遊技場管理システム。
【発明の詳細な説明】
【技術分野】
【０００１】
本発明は、遊技者が貨幣投入部に貨幣を投入したことに基づいて遊技機にて使用可能な遊技価値を付与する遊技場管理システムに関する。
【背景技術】
【０００２】
遊技場において、ＣＲユニットやメダルサンド等の貸出機は、遊技者が紙幣等の貨幣を投入した場合に玉やメダル等の遊技媒体（遊技価値）を貸し出し、その遊技媒体を使用して遊技者が遊技機にて遊技を行う。貸出機に投入された貨幣は遊技場内に設けられた貨幣収容手段（金庫）に保管される。例えば特許文献１には、各貸出機に貨幣収容手段を設け、遊技者が貸出機に投入した貨幣を貨幣収容手段にて保管することが記載されている。又、特許文献１には、貨幣の盗難を防止するために、貨幣収容手段に収容されている貨幣を検知する貨幣検知手段（貨幣検知センサ）を当該貨幣収容手段に設けることで、貨幣収容手段のロックの解除を検知することが記載されている。
【先行技術文献】
【特許文献】
【０００３】
【特許文献１】特開２００４−２０９０９７号公報
【発明の概要】
【発明が解決しようとする課題】
【０００４】
しかしながら、貨幣収容手段に貨幣検知手段を設けた構成では、貨幣検知手段への電力供給を遮断した後に貨幣を盗難する不正行為が発生する虞がある。即ち、貨幣検知手段が動作していない状態や検知結果を特定不能な状態にて貨幣の盗難が発生した場合には、遊技場の管理者が貨幣の盗難に気付くのが遅れたり、貨幣の盗難が発生していたこと自体に気付かなくなったりする虞がある。
【０００５】
本発明は、上記した事情に鑑みてなされたものであり、その目的は、貨幣の盗難が発生したことを遊技場の管理者が適切に特定することが可能な遊技場管理システムを提供することにある。
【課題を解決するための手段】
【０００６】
請求項１に記載した発明は、遊技者が貨幣投入部に貨幣を投入したことに基づいて遊技機にて使用可能な遊技価値を付与する遊技価値付与手段と、前記貨幣投入部に遊技者が投入した貨幣を収容する貨幣収容手段と、前記貨幣収容手段が収容している貨幣を検知する貨幣検知手段と、前記貨幣検知手段に電力を供給する電力供給手段と、前記電力供給手段から前記貨幣検知手段への電力供給が遮断された後に電力供給が開始された場合に、その電力供給の遮断の前後における前記貨幣検知手段の検知結果を比較する検知結果比較手段と、前記検知結果比較手段が検知結果を比較した結果として前記電力供給の遮断の前後における前記貨幣検知手段の検知結果が一致しなかった場合に、異常報知を実行する異常報知実行手段と、を備えたことを特徴とする。
【０００７】
請求項２に記載した発明は、前記貨幣検知手段は、前記貨幣収容手段が貨幣を収容している状態か否かを検知するものであり、前記異常報知実行手段は、前記電力供給手段から前記貨幣検知手段への電力供給が遮断された場合に前記貨幣収容手段が貨幣を収容している状態であり、その後、前記電力供給手段から前記貨幣検知手段への電力供給が開始された場合に前記貨幣収容手段が貨幣を収容していない状態となっていた場合に、前記異常報知を実行することを特徴とする。
【０００８】
請求項３に記載した発明は、前記貨幣収容手段が収容している貨幣を取り出すために遊技場の管理者が操作する操作手段と、遊技場の管理者が前記操作手段を操作した場合に前記貨幣収容手段に状態切替信号を出力する信号出力手段と、を備え、前記貨幣収容手段は、前記状態切替信号を入力した場合に、収容している貨幣を取出可能な取出可能状態に切り替わることを特徴とする。
【０００９】
請求項４に記載した発明は、前記貨幣収容手段は、遊技者が遊技を行う状態である営業モードと、遊技場の管理者がメンテナンスを行う状態である非営業モードとに切替可能であり、前記異常報知手段は、前記貨幣収容手段が前記非営業モードにおいて前記貨幣検知手段が貨幣の収容を検知している場合に、前記貨幣収容手段が貨幣を収容していることを遊技場の管理者が特定可能な特別報知を実行することを特徴とする。
【００１０】
請求項５に記載した発明は、前記貨幣収容手段は、遊技者が遊技を行う状態である営業モードと、遊技場の管理者がメンテナンスを行う状態である非営業モードとに切替可能であり、前記異常報知手段は、前記貨幣収容手段が前記営業モードにおいて前記電力供給手段から前記貨幣検知手段への電力供給が遮断された場合に、前記電力供給の遮断の前後における前記貨幣検知手段の検知結果に関わらず前記異常報知を実行する一方、前記貨幣収容手段が前記非営業モードにおいて前記電力供給手段から前記貨幣検知手段への電力供給が遮断された場合に、前記電力供給の遮断の前後における前記貨幣検知手段の検知結果が一致しなかった場合に異常報知を実行することを特徴とする。
【００１１】
請求項６に記載した発明は、前記異常報知手段は、前記電力供給手段からの電力供給を受けることなく動作可能であり、前記貨幣収容手段が前記営業モードにおいて前記電力供給手段から前記貨幣検知手段への電力供給が遮断された場合に、前記電力供給手段から前記貨幣検知手段への電力供給の開始を待つことなく前記異常報知を実行することを特徴とする。
【００１２】
請求項７に記載した発明は、遊技者が貨幣投入部に貨幣を投入したことに基づいて遊技機にて使用可能な遊技価値を付与する遊技価値付与手段と、前記貨幣投入部に遊技者が投入した貨幣を収容する貨幣収容手段と、前記貨幣収容手段が収容している貨幣を検知する貨幣検知手段と、前記貨幣検知手段と通信可能であり、前記貨幣検知手段の検知結果を管理する管理手段と、前記貨幣検知手段と前記管理手段とが通信不能状態となった後に通信可能状態となった場合に、その通信不能状態の前後における前記貨幣検知手段の検知結果を比較する検知結果比較手段と、前記貨幣検知手段と前記管理手段とが通信不能状態となった場合に、前記貨幣検知手段と前記管理手段とが通信可能な状態となる前に通信異常報知を実行すると共に、前記貨幣検知手段と前記管理手段とが通信不能状態となった後に通信可能状態となった場合に、前記検知結果比較手段が検知結果を比較した結果として前記通信不能状態の前後における前記貨幣検知手段の検知結果が一致しなかった場合に異常報知を実行する異常報知実行手段と、を備えたことを特徴とする。
【発明の効果】
【００１３】
請求項１に記載した発明によれば、電力供給手段から貨幣検知手段への電力供給が遮断された後に電力供給が開始されると、その電力供給の遮断の前後における貨幣検知手段の検知結果を比較し、その検知結果を比較した結果として電力供給の遮断の前後における貨幣検知手段の検知結果が一致しないと、異常報知を実行するようにしたので、電力供給手段から貨幣検知手段への電力供給を遮断して貨幣を盗難するという不正行為が発生した場合であっても、異常報知を実行することで、貨幣の盗難が発生したことを迅速に特定することができる。
【００１４】
請求項２に記載した発明によれば、電力供給手段から貨幣検知手段への電力供給が遮断された場合に貨幣収容手段が貨幣を収容している状態であり、その後、電力供給手段から貨幣検知手段への電力供給が開始された場合に貨幣収容手段が貨幣を収容していない状態となっていると、異常報知を実行するようにしたので、不正行為の手口として電力供給手段から貨幣検知手段への電力供給を遮断して貨幣を盗難したことを確実に特定することができる。
【００１５】
請求項３に記載した発明によれば、遊技場の管理者が操作手段を操作したことで、信号出力手段が状態切替信号を貨幣収容手段に出力すると、貨幣収容手段が収容している貨幣を取出可能な取出可能状態に切り替わるようにしたので、遊技場の管理者による貨幣収容手段からの貨幣の回収を、貨幣検知手段への電力供給が行われている状態にて行うことができる。そのため、貨幣検知手段への電力供給が行われていない状態にて貨幣検知手段の検知結果が一致しなくなると、貨幣の盗難が発生した可能性が高いこととなり、貨幣の盗難が発生した可能性が高い状態にて異常報知を好適に実行することができる。
【００１６】
請求項４に記載した発明によれば、貨幣収容手段が非営業モードにおいて貨幣検知手段が貨幣の収容を検知している場合に、貨幣収容手段が貨幣を収容していることを遊技場の管理者が特定可能な特別報知を実行するようにしたので、遊技場を閉店（遊技場の営業を終了）した後に貨幣を回収し忘れたまま貨幣検知手段への電力供給を遮断してしまうことを抑制することができ、貨幣検知手段への電力供給を遮断した状態にて貨幣が盗難されることを抑制することができる。
【００１７】
請求項５に記載した発明によれば、貨幣収容手段が営業モードにおいて貨幣検知手段への電力供給が遮断された場合には、貨幣を盗難しようとする遊技者（不正行為者）が不正に貨幣検知手段への電力供給を遮断した可能性が高く、貨幣の盗難の有無に関わらず、即ち、貨幣が盗難されたことを特定する前に異常を報知する必要がある。一方、貨幣収容手段が非営業モードにおいて貨幣検知手段への電力供給が遮断された場合には、遊技場の管理者が正規に貨幣検知手段への電力供給を遮断した可能性が高く、必ずしも異常を報知する必要はない。このような事情から、貨幣収容手段が営業モードにおいては貨幣検知手段への電力供給が遮断されたことを条件として異常報知を行う一方、貨幣収容手段が非営業モードにおいては貨幣検知手段への電力供給が遮断されたこと且つ貨幣検知手段の検知結果が一致しなかったことを条件として異常報知を行うようにしたので、誤報知を抑制しつつ、異常報知を好適に実行することができる。
【００１８】
請求項６に記載した発明によれば、貨幣収容手段が営業モードにおいては貨幣検知手段への電力供給の遮断が発生すると電力供給の開始を待つことなく異常報知を実行するので、異常報知を迅速に実行することができる。
【００１９】
請求項７に記載した発明によれば、貨幣検知手段と管理手段とが通信不能状態となった後に通信可能状態となると、その通信不能状態の前後における貨幣検知手段の検知結果を比較し、貨幣検知手段と管理手段とが通信不能状態となると、貨幣検知手段と管理手段とが通信可能な状態となる前に通信異常報知を実行すると共に、貨幣検知手段と管理手段とが通信不能状態となった後に通信可能状態となると、その検知結果を比較した結果として通信不能状態の前後における貨幣検知手段の検知結果が一致しないと、異常報知を実行するようにしたので、貨幣検知手段と管理手段との通信機能を無効として（破壊して）貨幣を盗難するという不正行為が発生した場合であっても、異常報知を実行することで、貨幣の盗難が発生したことを迅速に特定することができる。
【図面の簡単な説明】
【００２０】
【図１】本発明の第１の実施形態を示す全体構成図
【図２】貸出機の機能ブロック図
【図３】貸出機の状態表示を示す図
【図４】貸出機が実行する紙幣収容有無出力処理を示すフローチャート
【図５】管理装置が実行する監視処理を示すフローチャート
【図６】管理装置が実行する非営業モード対応紙幣収容報知処理を示すフローチャート
【発明を実施するための形態】
【００２１】
（第１の実施形態）
以下、本発明の第１の実施形態について、図１乃至図６を参照して説明する。図１は遊技場管理システム１の全体構成を概略的に示している。遊技場には、遊技機（スロットマシン）２に対応して貸出機３及び呼出ランプ４が設置されている。２台の遊技機２、２台の貸出機３及び２台の呼出ランプ４は１台の中継装置５に接続されており、中継装置５はＬＡＮ６を介して管理装置７（検知結果比較手段、異常報知実行手段に相当）に接続されている。管理装置７は、遊技場内の例えば管理室に設置されており、主装置７ａ、遊技場の管理者が操作するマウス７ｂ及びキーボード７ｃ、モニタ７ｄやプリンタ（図示せず）等が組み合わされて構成されている。尚、図１では省略しているが、数１００台の遊技機２が管理装置７の管理対象となる。又、本実施形態では上記したように遊技機２がスロットマシンであることから、遊技価値（遊技媒体）はメダルである。遊技機２がパチンコ機であれば、遊技価値はパチンコ玉である。
【００２２】
遊技機２は、遊技者がリールを視認可能な表示窓２ａ、有効化された入賞ラインを示す有効ライン表示部２ｂ、表示パネル２ｃ、クレジットメダルの投入を行うクレジットボタン２ｄ、クレジットメダルの精算を行う精算ボタン２ｅ、メダルを投入するメダル投入口２ｆ、スタートレバー２ｇ及び左ストップボタン２ｈ、中ストップボタン２ｉ、右ストップボタン２ｊ、受皿２ｋ等を備えている。
【００２３】
遊技機２は、メダルが投入された状態でスタートレバー２ｇが操作されると（ゲーム開始操作が行われると）、発生する乱数の中から１つの乱数を抽出して内部抽選を実行し、内部当選役がある場合には当該内部当選役に対応するフラグを成立させると共に、各リールを始動（回転）させ、この状態で各ストップボタン２ｈ〜２ｊが操作されると、対応するリールの回転を停止させる。続いて、内部当選役のフラグに応じて各リールの停止位置を決定するための図示しない停止テーブルに基づいて、所謂引込制御（すべり制御）を含む停止制御（各リールを内部当選役フラグの種類に応じた入賞図柄又はハズレ図柄で停止表示させる制御）を実行する。引込制御は、各ストップボタン２ｈ〜２ｊの操作を検出した時点から予め規定された引込範囲（最大で４図柄まで）にある図柄を入賞ライン上に引込んで停止させることが可能な制御である。尚、内部当選役フラグに対応する図柄が引込範囲内に存在しないときは、その図柄を入賞ライン上に引き込んで停止させることができないので、入賞が発生せず、所謂取りこぼしとなる。
【００２４】
遊技機２は、以下に示す遊技信号を出力する。
「アウト信号」：遊技に使用された遊技価値数（使用数、アウト）を特定可能な使用信号である。ゲームの開始操作に応じてベット状態のメダル数（３枚又は１枚）分がパルス出力されるので、アウト信号数×１をアウトとして特定する。尚、リプレイ役入賞時にも対応分が出力される。
【００２５】
「セーフ信号」：遊技者が遊技によって獲得した（遊技機２から払出された）遊技価値数（獲得数、セーフ）を特定可能な獲得信号である。メダルが１枚払出される毎に１パルスが出力されるので、セーフ信号数×１をセーフとして特定する。尚、リプレイ役入賞時にも、そのゲームに使用されたメダル分が出力される。
【００２６】
「ＢＢ信号」：ＢＢ（ビッグボーナス）状態を特定可能な信号である。ＢＢ状態中にレベル出力されるので、ＢＢ信号入力中をＢＢ状態中として特定する。
「ＲＢ信号」：ＲＢ（レギュラーボーナス）状態を特定可能な信号である。ＲＢ状態中にレベル出力されるので、ＲＢ信号入力中をＲＢ状態中として特定する。
【００２７】
貸出機３は、動作状態を示す状態ＬＥＤ３ａ、遊技場の管理者や従業員が携帯する操作リモコン８（操作手段、信号出力手段に相当）からリモコン信号を受信する受信部３ｂ、遊技者が紙幣（貨幣に相当）を投入するための紙幣投入口３ｃ（貨幣投入部に相当）、各種情報（メッセージ等を含む）を表示する表示部３ｄ、メダルを払出す払出口３ｅ等を備えている。又、本体に対して着脱可能な前面カバー３ｆの裏側には、紙幣投入口３ｃに投入された紙幣を収容する（保管する）紙幣収容部３ｇ（貨幣収容手段に相当）が設けられている。
【００２８】
貸出機３は、図２に示すように、電気的な構成として、ＣＰＵ、ＲＯＭ、ＲＡＭ、Ｉ／Ｏを有するマイクロコンピュータにより構成される制御部３ｈ、遊技機２や呼出ランプ４や管理装置７との間で各種信号や各種情報を中継装置５を介して入出力する入出力部３ｉ、紙幣投入口３ｃに投入された紙幣の真贋を判定する紙幣処理部３ｊ、紙幣収容部３ｇに紙幣が収容されているか否か（紙幣の有無）を判定する紙幣検知部（紙幣検知センサ）３ｋ（貨幣検知手段に相当）、メダルを払出口３ｅから払出させるメダル払出部３ｌ（遊技価値付与手段に相当）、各機能ブロックに電力を供給する電力供給部３ｍ（電力供給手段に相当）等を備えている。貸出機３は、制御プログラムを実行して以下の動作を行う。
【００２９】
（１）「千円札」、「２千円札」、「５千円札」、「１万円札」の４種類の紙幣を紙幣投入口３ｃにて受付可能であり、何れかの紙幣を紙幣投入口３ｃにて受付けると、その紙幣の真贋を紙幣処理部３ｊにて判定し、判定結果が正であることを条件として、１０００円分のメダルを払出口３ｅから払出すと共に、残金を記録する。例えばメダルの貸単価が２０円であれば、「千円札」を紙幣投入口３ｃにて受付けると、１０００円分に相当する５０枚のメダルを払出し、残金として「０円」を記録する。又、「５千円札」を紙幣投入口３ｃにて受付けると、１０００円分に相当する５０枚のメダルを払出し、残金として「４０００円」を記録する。
【００３０】
（２）残金（メダルに換金していない金額）がある状態で遊技者が貸出ボタン（図示せず）を押下すると、１０００円分のメダルを払出口３ｅから払出すと共に、記録している残金を更新する。例えば残金として「１０００円」を記録している状態で遊技者が貸出ボタンを押下すると、１０００円分に相当する５０枚のメダルを払出し、記録している残金を「１０００円」から「０円」に更新する。又、例えば残金として「４０００円」を記録している状態で遊技者が貸出ボタンを押下すると、１０００円分に相当する５０枚のメダルを払出し、記録している残金を「４０００円」から「３０００円」に更新する。
【００３１】
（３）１００円分に相当する５枚のメダルを貸出す毎に売上信号を１パルスで出力する。即ち、１０００円分に相当する５０枚のメダルを貸出す際には売上信号を５０パルスで出力する。売上信号数×５が貸出メダル数に相当し、その貸出メダル数に貸出単価を乗じた値が売上額に相当する。
【００３２】
（４）通常状態では前面カバー３ｆを本体から取外不能（開錠不能）な状態であり、操作リモコン８からリモコン信号の１つである開錠信号（状態切替信号に相当）が受信部３ｂに受信されると、前面カバー３ｆを本体から取外可能（開錠可能）な状態となる。前面カバー３ｆが本体から取外されると、紙幣収容部３ｇが露出され（開放され）、遊技場の管理者や従業員等が当該紙幣収容部３ｇに収容されている紙幣を回収可能となる（紙幣を取出可能な取出可能状態に切り替わる）。
【００３３】
（５）紙幣検知部３ｋの検知結果、即ち、紙幣収容部３ｇに紙幣が収容されているか否かを特定可能な検知結果を所定周期で（例えば５秒毎に）管理装置７に出力する。尚、検知結果には、紙幣収容部３ｇに紙幣が収容されているか否かを特定可能な情報の他に、貸出機３を特定可能な情報（貸出機３に固有な番号、対応する遊技機２の台番等）が含まれる。
【００３４】
（６）管理装置７から後述する営業モード設定信号を入力すると、自己を営業モード（開店モード）に設定する一方、後述する非営業モード設定信号を入力すると、自己を非営業モード（閉店モード）に設定する。
【００３５】
（７）図３に示す状態報知を行う。具体的には、前面カバー３ｆが開錠された状態では、図３（ａ）に示すように、状態ＬＥＤ３ａを赤点滅させ、「前面カバーが開いています」というメッセージを表示部３ｄに表示させると共に、その旨を特定可能な信号を管理装置７に出力する（イベント通知する）。又、本来の（正規な）開錠方法と異なる不正な開錠方法により前面カバー３ｆが開錠された状態では、図３（ｂ）に示すように、状態ＬＥＤ３ａを赤点滅させ、「不正な開錠を検知しました」というメッセージを表示部３ｄに表示させると共に、その旨を特定可能な信号を管理装置７に出力する（イベント通知する）。又、非営業モード中であるときに紙幣収容部３ｇに紙幣が収容されていることを紙幣検知部３ｋが検知している状態では、図３（ｃ）に示すように、状態ＬＥＤ３ａを赤点滅させ、「紙幣を回収してください」というメッセージを表示部３ｄに表示させると共に、その旨を特定可能な信号を管理装置７に出力する（イベント通知する）。更に、電源オフ状態の前後で紙幣検知部３の検知結果が変化した状態では、その旨を特定可能な信号を管理装置７に出力する（イベント通知する）。
【００３６】
呼出ランプ４は、遊技場の従業員を呼出すときに遊技者が押下する呼出ボタン４ａ、遊技情報の表示を切り替えるときに遊技者が押下する表示切替ボタン４ｂ、ランプ部４ｃ、液晶表示部４ｄ等を備えている。又、呼出ランプ４は、電気的な構成として、ＣＰＵ、ＲＯＭ、ＲＡＭ、Ｉ／Ｏを有するマイクロコンピュータにより構成される制御部、遊技機２や貸出機３や管理装置７との間で各種信号や各種情報を中継装置５を介して入出力する入出力部等を備えている。呼出ランプ４は、制御プログラムを実行して以下の動作を行う。
（１）遊技機２から遊技信号を入力することで、各種遊技情報を液晶表示部４ｃに表示する。
（２）遊技者が呼出ボタン４ａを押下すると、ランプ部４ｃを点灯し、遊技者が表示切替ボタン４ｂを押下すると、液晶表示部４ｃにおける遊技情報の表示を切り替える。
【００３７】
管理装置７は、ＣＰＵ、ＲＯＭ、ＲＡＭ、Ｉ／Ｏを有する制御部、遊技機２や貸出機３や呼出ランプ４との間で各種信号や各種情報を中継装置５を介して入出力する入出力部等を備えている。管理装置７は、制御プログラムを実行して以下の動作を行う。
（１）遊技機２から出力される遊技信号（アウト信号、セーフ信号、ＢＢ信号、ＲＢ信号）や貸出機３から出力される売上信号を入力すると、遊技機２の遊技情報（アウト、セーフ、差メダル、ＢＢ回数、ＲＢ回数等）を集計したり売上情報を算出したりする。
（２）例えば遊技島又は遊技場全体を単位とし、その単位に属する全ての貸出機３に対して営業モード（開店モード）と非営業モード（閉店モード）とを択一的に設定する。具体的に説明すると、遊技場の管理者が管理装置７にて対象とする貸出機３を遊技島又は遊技場全体を単位として設定し、その対象とする貸出機３に対して営業モードを設定する操作入力を行うと、営業モード設定信号を当該対象とする貸出機３に出力し、非営業モードを設定する操作入力を行うと、非営業モード設定信号を当該対象とする貸出機３に出力する。通常の営業形態では、開店時に営業モードを設定する一方、閉店時に非営業モードを設定する。
【００３８】
（３）各貸出機３の電源オンオフ状態（電力供給部３ｍから貨幣検知部３ｋへの電力供給状態）を特定する。各貸出機３の電源オンオフ状態を特定する方法としては、例えば各貸出機３への電源ラインからの入力電圧を監視する等すれば良い。即ち、各貸出機３への電源ラインからの入力電圧が所定電圧を基準とする所定範囲内であれば、貸出機３を電源オン状態であると特定する一方、入力電圧が所定電圧を基準とする所定範囲内でなければ、貸出機３を電源オフ状態であると特定する。貸出機３が電源オン状態であるときには、貨幣検知部３ｋが正常に動作可能であり、紙幣収容部３ｇに紙幣が収容されているか否かを判定可能であるが、貸出機３が電源オフ状態であるときには、貨幣検知部３ｋが正常に動作不能であり、紙幣収容部３ｇに紙幣が収容されているか否かを判定不能である。
【００３９】
（４）何れかの貸出機３が電源オン状態から電源オフ状態に切り替わったと判定すると、その電源オフ状態に切り替わった貸出機３を営業モード又は非営業モードの何れかに設定しているかを判定する。電源オフ状態に切り替わった貸出機３を非営業モードに設定していると判定すると、その貸出機３から入力した紙幣検知部３ｋの検知結果を電源オフ時の検知結果として記憶する。一方、電源オフ状態に切り替わった貸出機３を営業モードに設定していると判定すると、遊技場の管理者に対して異常報知を実行する。即ち、電源オフ状態に切り替わった貸出機３（対応する遊技機２の台番）を特定することで、例えば「○番台にて紙幣盗難の可能性大、要確認」等というメッセージをモニタ７ｄに表示する。
【００４０】
（５）何れかの貸出機３が電源オフ状態から電源オン状態に切り替わったと判定すると、その電源オン状態に切り替わった貸出機３から入力した紙幣検知部３ｋの検知結果を電源オン時の検知結果として記憶する。これよりも先に記憶した電源オフ時の検知結果と今回に記憶した電源オン時の検知結果とが一致するか否かを判定し、両者が一致しないと判定すると、この場合も、遊技場の管理者に対して異常報知を実行する。即ち、電源オン状態に切り替わった貸出機３（対応する遊技機２の台番）を特定することで、例えば「○番台にて紙幣盗難の可能性大、要確認」等というメッセージをモニタ７ｄに表示する。
【００４１】
（６）非営業モードに設定した貸出機３から紙幣検知部３ｋの検知結果を入力し、その入力した検知結果により紙幣を収容していると判定すると、特別報知を実行する。即ち、検知結果の出力元の貸出機３（対応する遊技機２の台番）を特定することで、その貸出機３に保管されている紙幣の回収を促すメッセージをモニタ７ｄに表示する。
【００４２】
次に、上記した構成の作用について、図４乃至図６を参照して説明する。図４は貸出機３が本発明に関連して実行する紙幣収容有無出力処理を示し、図５は管理装置７が本発明に関連して実行する監視処理を示し、図６は管理装置７が本発明に関連して実行する非営業モード対応紙幣収容報知処理を示している。以下、これらの処理を順次説明する。
【００４３】
（１）紙幣収容有無出力処理
貸出機３は、電源が投入されている状態では紙幣収容有無出力処理を所定周期で定期的に実行する。貸出機３は、紙幣収容有無出力処理を開始すると、自己が営業モードに設定されているか否かを判定する（Ｓ１）。貸出機３は、自己が営業モードに設定されていると判定すると（Ｓ１:ＹＥＳ）、紙幣検知部３ｋの検知結果、即ち、紙幣収容部３ｇに紙幣が収容されているか否か（紙幣の有無）を特定可能な検知結果を出力するタイミングになったか否かを判定する（Ｓ２）。
【００４４】
貸出機３は、紙幣検知部３ｋの検知結果を出力するタイミングになったと判定すると（Ｓ２：ＹＥＳ）、紙幣収容部３ｇに紙幣が収容されているか否かを紙幣検知部３ｋにて検知し（特定し）（Ｓ３）、その検知結果を管理装置７に出力し（Ｓ４）、紙幣収容有無出力処理を終了してリターンする。又、貸出機３は、自己が営業モードに設定されていない（非営業モードに設定されている）と判定すると（Ｓ１:ＮＯ）、管理装置７から営業モード設定信号を入力したか否かを判定し（Ｓ５）、管理装置７から営業モード設定信号を入力したと判定すると（Ｓ５：ＹＥＳ）、非営業モードから営業モードに切り替え（Ｓ６）、上記したステップＳ３、Ｓ４を実行する。尚、貸出機３は、紙幣検知部３ｋの検知結果を出力するタイミングになっていないと判定すると（Ｓ２：ＮＯ）、又は管理装置７から営業モード設定信号を入力していないと判定すると（Ｓ５：ＮＯ）、紙幣収容有無出力処理を終了してリターンする。
【００４５】
（２）監視処理
管理装置７は、電源が投入されている状態では監視処理を所定周期で定期的に実行する。管理装置７は、監視処理を開始すると、電源オン状態から電源オフ状態に切り替わった貸出機３を特定したか否かを判定すると共に（Ｔ１）、電源オフ状態から電源オン状態に切り替わった貸出機３を特定したか否かを判定する（Ｔ２）。管理装置７は、電源オフ状態に切り替わった貸出機３を特定したと判定すると（Ｔ１：ＹＥＳ）、その電源オフ状態に切り替わった貸出機３を非営業モードに設定しているか否かを判定する（Ｔ３）。管理装置７は、その電源オフ状態に切り替わった貸出機３を非営業モードに設定していると判定すると（Ｔ３：ＹＥＳ）、電源オフ状態に切り替わった貸出機３から入力した検知結果、即ち、電源オフ状態に切り替わった貸出機３の紙幣収容部３ｇにおける紙幣収容状態を記憶する（Ｔ４）。この場合の電源オフ状態に切り替わった貸出機３の紙幣収容部３ｇにおける紙幣収容状態は、監視処理を実行する所定周期が短い周期（例えば数ミリ秒周期）であれば、電源オフ状態に切り替わる直前の紙幣収容状態と同じである。
【００４６】
一方、管理装置７は、その電源オフ状態に切り替った貸出機３を非営業モードに設定していない（営業モードに設定している）と判定すると（Ｔ３：ＮＯ）、異常報知を実行する（Ｔ５）。即ち、管理装置７は、電源オフ状態に切り替わった貸出機３（対応する遊技機２の台番）を特定し、例えば「○番台にて紙幣盗難の可能性大、要確認」等というメッセージをモニタ７ｄに表示する。貸出機３が非営業モードでないにも関わらず（営業モードであるにも関わらず）貸出機３が電源オフ状態に切り替わった場合は、不正な遊技者が紙幣の盗難等を目的として貸出機３を不正に電源オフ状態に切り替えた可能性が高いので、異常報知を実行することで、その旨を遊技場の管理者に対して報知する。このように営業モードにおいて電源オフ状態となると、紙幣収容状態の変化に関わらず、即ち、紙幣収容状態が変化したか否かを判定することなく、異常報知を実行する。この場合、電源オフ状態となることを待つことなく異常報知を直ちに実行する。
【００４７】
又、管理装置７は、電源オン状態に切り替わった貸出機３を特定したか否かを判定すると（Ｔ２：ＹＥＳ）、これよりも先に記憶した電源オフ状態に切り替わった貸出機３の紙幣収容部３ｇにおける紙幣収容状態を読出し（Ｔ６）、その読出した紙幣収容状態、即ち、電源オフ状態に切り替わった貸出機３の紙幣収容部３ｇにおける紙幣収容状態と、電源オン状態に切り替わった貸出機３の紙幣収容部３ｇにおける紙幣収容状態とを照合し、両者が一致するか否かを判定する（Ｔ７）。この場合の電源オン状態に切り替わった貸出機３の紙幣収容部３ｇにおける紙幣収容状態は、監視処理を実行する所定周期が短い周期（例えば数ミリ秒周期）であれば、電源オン状態に切り替わる直前の紙幣収容状態と同じである。
【００４８】
ここで、不正な遊技者が貸出機３への電源供給を遮断して（紙幣検知部３ｋを動作不能として）紙幣を盗難するという不正行為を行わなければ、紙幣収容部３ｇにおける紙幣収容状態は貸出機３が電源オフ状態になってから電源オン状態になるまでの期間で変化しないので、両者が一致することになる。一方、不正な遊技者が貸出機３への電源供給を遮断して紙幣を盗難するという不正行為を行えば、紙幣収容部３ｇにおける紙幣収容状態は貸出機３が電源オフ状態になってから電源オン状態になるまでの期間で変化するので、両者が一致しないことになる。
【００４９】
管理装置７は、両者が一致すると判定すると（Ｔ７：ＹＥＳ）、異常報知を実行することなく監視処理を終了してリターンする。一方、管理装置７は、両者が一致しないと判定すると（Ｔ７：ＮＯ）、この場合も、異常報知を実行する（Ｔ５）。即ち、管理装置７は、電源オフ状態に切り替わった貸出機３（対応する遊技機２の台番）を特定し、例えば「○番台にて紙幣盗難の可能性大、要確認」等というメッセージをモニタ７ｄに表示する。貸出機３の電源オフ状態の前後における紙幣収容状態が一致しなかった場合は、電源オフ状態の期間に不正な遊技者が紙幣を盗難した可能性が高いので、異常報知を実行することで、その旨を遊技場の管理者に対して報知する。尚、管理装置７は、電源オフ状態に切り替わった貸出機３を特定していないと判定すると（Ｔ１：ＮＯ）、又は電源オン状態に切り替わった貸出機３を特定していないと判定すると（Ｔ２：ＮＯ）、監視処理を終了してリターンする。
【００５０】
（３）非営業モード対応紙幣収容報知処理
管理装置７は、電源が投入されている状態では非営業モード対応紙幣収容報知処理を所定周期で定期的に実行する。管理装置７は、非営業モード対応紙幣収容報知処理を開始すると、何れかの貸出機３を非営業モードに設定しているか否かを判定する（Ｔ１１）。管理装置７は、何れかの貸出機３を非営業モードに設定していると判定すると（Ｔ１１：ＹＥＳ）、非営業モードに設定している貸出機３の中に紙幣を収容している貸出機３が存在するか否かを判定し（Ｔ１２）、紙幣を収容している貸出機３が存在すると判定すると（Ｔ１２：ＹＥＳ）、特別報知を実行する（Ｔ１３）。
【００５１】
即ち、管理装置７は、検知結果の出力元の貸出機３（対応する遊技機２の台番）を特定することで、その貸出機３に保管されている紙幣の回収を促すメッセージをモニタ７ｄに表示する。貸出機３が非営業モードであるにも関わらず紙幣を収容している場合は、遊技場の管理者は従業員が紙幣を回収し忘れている可能性が高いので、特別報知を実行することで、その旨を遊技場の管理者に対して報知する。尚、管理装置７は、何れの貸出機３も非営業モードに設定していないと判定すると（Ｔ１１：ＮＯ）、又は何れかの貸出機３を非営業モードに設定していると判定したが、紙幣を収容している貸出機３が存在しないと判定すると（Ｔ１２：ＮＯ）、非営業モード対応紙幣収容報知処理を終了してリターンする。
【００５２】
以上に説明したように第１の実施形態によれば、貸出機３が電源オフ状態に切り替えられた後に電源オン状態に切り替えられると、管理装置７において、貸出機３の電源オフ状態の前後で紙幣の収容状態が変化しているか否かを判定し、電源オフ状態の前後で紙幣の収容状態が変化していると判定すると、異常報知を実行するようにしたので、貸出機３への電源供給を故意に遮断して紙幣を盗難するという不正行為が発生した場合であっても、紙幣の盗難が発生したことを迅速に特定することができる。
【００５３】
又、遊技場の管理者や従業員が操作リモコン８を操作したことで、開錠信号が受信部３ｂに受信されると、紙幣を取出可能な状態に切り替わるようにしたので、遊技場の管理者や従業員による紙幣の回収を貸出機３が電源オン状態で行うことができる。そのため、貸出機３が電源オフ状態で貨幣検知部３ｋの検知結果が一致しなくなると、紙幣の盗難が発生した可能性が高いこととなり、紙幣の盗難が発生した可能性が高い状態において異常報知を好適に実行することができる。
【００５４】
又、貨出機３が非営業モードにおいて紙幣の収容が検知されている場合に、紙幣が収容されていることを遊技場の管理者が特定可能な特別報知を実行するようにしたので、遊技場を閉店した後に紙幣を回収し忘れたまま貸出機３を電源オフ状態としてしまうことを抑制することができ、貸出機３を電源オフ状態として紙幣が盗難されることを抑制することができる。
【００５５】
又、貨出機３が営業モードにおいて電源オフ状態となった場合には、紙幣を盗難しようとする遊技者（不正行為者）が不正に貨出機３を電源オフ状態とした可能性が高く、紙幣の盗難の有無に関わらず、即ち、紙幣が盗難されたことを特定する前に異常を報知する必要がある一方、貨出機３が非営業モードにおいて電源オフ状態となった場合には、遊技場の管理者が正規に貨出機３を電源オフ状態とした可能性が高く、必ずしも異常を報知する必要はないので、誤報知を抑制しつつ、異常報知を好適に実行することができる。
【００５６】
（第２の実施形態）
次に、本発明の第２の実施形態について説明する。尚、上記した第１の実施形態と同一部分については説明を省略し、異なる部分について説明する。第２の実施形態では、管理装置７は、貸出機３との通信状態を管理する。
【００５７】
管理装置７は、貸出機３との間で通信状態を監視しており、貸出機３との間で通信不能状態が発生したと判定すると、例えば「○番台にて通信エラー発生、要確認」等というメッセージをモニタ７ｄに表示し、通信不能状態が発生したことを遊技場の管理者に対して報知する通信異常報知を実行する。ここでいう通信不能状態とは、貸出機３と管理装置７との間の配線に物理的な損傷が発生した場合や、配線に物理的な損傷は発生しないがノイズが混入する等によりデータ誤りが発生した場合等を意味する。そして、管理装置７は、通信不能状態が発生した貸出機３が通信可能状態に復帰したと判定すると、通信不能状態が発生した前後で第１の実施形態と同様に紙幣検知部３ｋの検知結果が変化しているか否かを判定し、通信不能状態が発生した前後で紙幣検知部３ｋの検知結果が変化していると判定すると、異常報知を実行する。
【００５８】
又、貸出機３は、通信不能状態であるときに操作リモコン８から開錠信号が受信部３ｂに受信されたとしても、前面カバー３ｆを本体から取外可能な状態とはならない。このとき、操作リモコン８は、貸出機３が通信不能状態であることを示す警告を出力し、その旨を遊技場の管理者や従業員に知らせる。この場合、操作リモコン８が警告を出力する方法としては、例えば貸出機３に警告を送信する機能を持たせ、開錠信号を送信した操作リモコン８に対して貸出機３が警告を送信することで、操作リモコン８が貸出機３から受信した警告を出力するようにしても良い。操作リモコン８が警告を出力することで、貸出機３が通信不能状態であるにも関わらず遊技場の管理者や従業員が誤って紙幣の回収を行ってしまうことを防止することができる。
【００５９】
そして、貸出機３は、操作リモコン８から開錠信号が受信部３ｂに再度受信されると（前回の開錠信号が受信してから所定時間が経過する前に受信されると）、前面カバー３ｆを本体から取外可能（開錠可能）な状態となる。即ち、遊技場の管理者や従業員は、貸出機３が通信不能状態であっても、紙幣収容部３ｇに収容されている紙幣を回収可能となる。そして、貸出機３は、通信不能状態から通信可能状態に復帰すると、紙幣の回収が正常に行われたことを特定可能な信号を管理装置７に出力する。即ち、通信不能状態の前後で紙幣収容状態が変化していたとしても、操作リモコン８により正常に開錠された場合には異常報知を実行しない。
【００６０】
以上に説明したように第２の実施形態によれば、貸出機３と管理装置７との間が通信不能状態となった後に通信可能状態に復帰すると、管理装置７において、通信不能状態の前後で紙幣の収容状態が変化しているか否かを判定し、通信不能状態の前後で紙幣の収容状態が変化していると判定すると、異常報知を実行するようにしたので、貸出機３と管理装置７との通信機能を故意に無効として（破壊して）紙幣を盗難するという不正行為が発生した場合であっても、紙幣の盗難が発生したことを迅速に特定することができる。
【００６１】
（その他の実施形態）
本発明は、上記した実施形態にのみ限定されるものではなく、以下のように変形又は拡張することができる。尚、以下に示す幾つかの変形例を組み合わせても良い。第２の実施形態に適用する場合、電源オフ状態を通信不能状態と適用すれば良い。
【００６２】
本実施形態では、紙幣検知部３ｋが単に紙幣収容部３ｇに紙幣が収容されているか否か（紙幣の有無）を検知する構成を説明したが、紙幣検知部３ｋが紙幣の枚数や種類を特定可能な機能を有することで、紙幣検知部３ｋが紙幣収容部３ｇに収容されている紙幣の金額をも特定する構成であっても良い。このよう構成すれば、収容されている紙幣のうち一部が盗難された場合であっても、電源オフ状態の前後で検知結果が異なるようになるので、紙幣の盗難を特定することができる。又、単に紙幣が盗難されたことを遊技場の管理者に対して報知するだけでなく、盗難された金額をも遊技場の管理者に対して報知することも可能となる。
【００６３】
本実施形態では、貸出機３毎に紙幣収容部３ｇが設けられている構成を説明したが、複数の貸出機３に対して一の紙幣収容部３ｇが設けられている構成（金庫が共有される構成）であっても良い。例えば複数の遊技機２が設置された遊技島の端に、その遊技島に属する複数の遊技機２が共有する一の紙幣収容部３ｇが設けられている構成であっても良い。
【００６４】
本実施形態では、紙幣が貸出機３に投入される構成を説明したが、紙幣に代えて硬貨（鋳貨）が貸出機３に投入される構成であっても良いし、紙幣及び硬貨の双方が貸出機３に投入される構成であっても良い。即ち、紙幣や硬貨が貸出機３に投入されることで、玉やメダル等の遊技価値が付与されるようにしても良い。
【００６５】
本実施形態では、管理装置７が異常報知を実行する構成を説明したが、貸出機３や呼出ランプ４が異常報知を実行する構成であっても良い。又、本実施形態では、管理装置７が検知結果を比較する構成を説明したが、貸出機３や呼出ランプ４が検知結果を比較する構成であっても良い。即ち、貸出機３が行う情報処理の一部を他の装置が行っても良いし、他の装置が行う情報処理の一部を貸出機３が行っても良い。
【００６６】
本実施形態では、遊技場の管理者や従業員が操作リモコン８を操作することで、操作リモコン８から開錠信号が貸出機３に送信されて当該貸出機３が開錠される構成を説明したが、遊技場の管理者が管理装置７を操作することで、開錠信号が管理装置７から貸出機３に出力されて当該貸出機３が開錠される構成であっても良いし、遊技場の管理者が鍵を用いて手動で貸出機３を開錠する構成であっても良い。
【００６７】
本実施形態では、営業モードと非営業モードとにおいて、紙幣の盗難に対する処理を変更する構成を説明したが、営業モードにおいて電源オフ状態となった場合も、非営業モードにおいて電源オフ状態となった場合と同様に、電源オフ状態の前後の検知結果が異なった場合に異常報知を実行するようにしても良い。即ち、営業モードにおいて電源オフ状態となった直後に直ちに異常報知を実行する必要はない。
【００６８】
本実施形態では、異常報知として、「○番台にて紙幣盗難の可能性大、要確認」等というメッセージを報知し、紙幣の盗難が発生した可能性が高いことを直接的に報知する構成を説明したが、紙幣の盗難が発生した可能性が高いことを遊技場の管理者が特定可能な情報を報知すれば良く、例えば「エラーコード００１」等というようにメッセージをコード化したエラーコードを用いて間接的に報知するようにしても良い。勿論、通信異常報知についても同様であり、エラーコードを用いて間接的に報知するようにしても良い。
【００６９】
第１の実施形態では、各貸出機３の電源オンオフ状態を、各貸出機３への電源ラインからの入力電圧を監視することで判定する構成を説明したが、例えば各貸出機３が特定の信号を所定周期で定期的に出力する構成であれば、特定の信号を定期的に入力している期間では、その特定の信号を出力した貸出機３を電源オフ状態であると判定する一方、特定の信号を定期的に入力していない期間（特定の信号を入力しない期間が所定期間に亘って継続する期間等）では、その特定の信号を出力する貸出機３を電源オフ状態であると判定する構成であっても良い。又、紙幣検知部３ｋの検知結果を正常に入力している期間では、その検知結果を出力した貸出機３を電源オン状態であると判定する一方、紙幣検知部３ｋの検知結果を正常に入力していない期間では、その検知結果を出力する貸出機３を電源オフ状態であると判定する構成であっても良い。
【００７０】
第１の実施形態では、貸出機３が電源オフ状態となったタイミングで紙幣収容状態を記憶する構成とし説明したが、所定周期毎で紙幣収容状態を記憶し、貸出機３が電源オフ状態となる直前に記憶した紙幣収容状態と、電源オン状態となった場合（なる場合）の紙幣収容状態とを比較するようにしても良い。即ち、電力供給の遮断の前後における貨幣検知手段の検知結果を比較することとは、電源オフ状態となる前又は電源オフ状態となったタイミングにおける紙幣収容状態と、電源オン状態となった場合（なる場合）の紙幣収容状態とを比較することが含まれる。
【００７１】
第１の実施形態において、貸出機３が電源オフ状態のときに紙幣収容状態を監視するセンサを更に設けても良い。このようなセンサを設けた構成に本発明を適用すれば、電源オフ状態にて紙幣収容状態を監視するセンサの機能（例えばセンサの通信線や電源線を断線させる等）を無効とした後に紙幣の盗難が行われたとしても、電源オフ状態の前後における紙幣収容状態の変化により紙幣の盗難が行われたことを特定可能となる。
【００７２】
対象となる遊技機２は、遊技者が貨幣を貸出機３に投入したことに基づいて付与される遊技価値が使用可能な遊技機２であれば良く、スロットマシン以外にパチンコ機を対象としても良い。パチンコ機を対象とする構成では、遊技者が玉の貸し出しを受けるために投入した貨幣が対象となる。又、遊技媒体を用いない点数による遊技を可能とする所謂封入式やクレジット式を対象としても良く、これらを考慮し、遊技媒体と点数とを包含する遊技価値と表現した。封入式やクレジット式を対象とする構成では、遊技者が遊技に使用可能な得点を得るために投入した貨幣が対象となる。
【符号の説明】
【００７３】
図面中、１は遊技場管理システム、２は遊技機、３ｃは貨幣投入口（貨幣投入部）、３ｇは紙幣収容部（貨幣収容手段）、３ｋは紙幣検知部（貨幣検知手段）、３ｌはメダル払出部（遊技価値付与手段）、３ｍは電力供給部（電力供給手段）、７は管理装置（検知結果比較手段、異常報知実行手段、管理手段）、８は操作リモコン（操作手段、信号出力手段）である。
【図１】
2014018346.tif 000003
【図２】
2014018346.tif 000004
【図３】
2014018346.tif 000005
【図４】
2014018346.tif 000006
【図５】
2014018346.tif 000007
【図６】
2014018346.tif 000008